(57)【要約】【課題】敷板の敷設作業と撤去作業を迅速且つ容易に行なうことができるようにすると同時に、イベント会場等に敷設した敷板の上に飲み物を零してもその飲み物が敷板の連結部の隙間から床面や地面に流れ落ちないようにする。【解決手段】前後左右方向に連ねて敷設可能な方形のプラスチック盤１の二辺２ａ、２ｂに沿ってプラスチック盤１の上に零した飲み物を受け止めて貯留するトレイ形容器３、４が形成され、該プラスチック盤１の他の二辺２ｃ、２ｄに沿ってトレイ形容器３、４と嵌合可能な蓋形状に成形された突縁部５、６が形成されている。【選択図】図１
2005139794.tif 000002
【特許請求の範囲】
【請求項１】
前後左右方向に連ねて敷設可能な方形のプラスチック盤で成る敷板において、前記プラスチック盤の二辺に沿ってトレイ形容器が形成され、該プラスチック盤の他の二辺に沿って前記トレイ形容器と嵌合可能な蓋形状に成形された突縁部が形成されていることを特徴とする敷板。
【請求項２】
前記トレイ形容器が前記プラスチック盤の隣接する二辺に沿って形成され、その二辺が交わるプラスチック盤の角部に門型のほぞ溝が形成され、その角部の対角となるプラスチック盤の角部が前記ほぞ溝と嵌合可能なほぞ形状に成形されている請求項１記載の敷板。
【請求項３】
ほぞ形状に成形された前記プラスチック盤の角部が三角形の枡形容器に形成されている請求項３記載の敷板。
【発明の詳細な説明】
【技術分野】
【０００１】
本発明は、工事現場や建設資材置き場、駐車場、公園、庭園、非舗装の道路・歩道等の地面に敷設したり、イベント会場となる広場や野球場、サッカー場、陸上競技場のフィールド等に敷設する敷板に係り、特にイベント会場として使用される野球場の人工芝の上などに敷設するのに好適な敷板に関する。
【背景技術】
【０００２】
従来の敷板は、裏面に補強用リブが形成された方形のプラスチック盤で成り、該プラスチック盤の周囲には、これを前後左右方向に連ねて敷設するための連結部となる係合突起と係合穴が形成されると共に、そのプラスチック盤を地面に固定するためのアンカー用杭を挿通する穴もしくは切欠きが形成されたものが一般的であり、これらは主として降雨によって泥濘を生じやすい工事現場や建設資材置き場等の地面に敷設して比較的長期間使用するものが多かった（特許文献１及び２参照）。
【０００３】
【特許文献１】特開平９−２６８７６８号公報
【特許文献２】特開平１１−２７０１４１号公報
【０００４】
しかし、最近は、例えばコンサートや格闘技、展示会・展覧会等の各種イベント会場として使用される野球場等のフィールドにも、そのフィールドのアンツーカや天然芝、人工芝を傷めないように保護するため、イベントが開催される期間だけ敷板を敷設したいという要望があり、その要望に応えるためにプラスチック盤を簡単に連結・分離して敷設作業と撤去作業を短時間で行なうことができる敷板を開発する必要性に迫られている。
【０００５】
また、大勢の人が入場するイベント会場では、入場者が紙コップやペットボトル、缶などに入ったジュースやお茶、ビール等の飲み物を零して床面や地面を汚すことがあり、その飲み物で汚れた床面や地面の清掃に多大な労力と時間を要するという問題があった。特に野球場の人工芝の上に飲み物を零すと、これを清掃除去することが非常に困難であると同時に、人工芝を汚損したり異臭の原因になるという問題があるため、入場者が零した飲み物を人工芝に付着浸透させない敷板の開発も望まれていた。
【発明の開示】
【発明が解決しようとする課題】
【０００６】
本発明が解決しようとする課題は、敷板の敷設作業と撤去作業を迅速且つ容易に行なうことができるようにすると同時に、イベント会場等に敷設した敷板の上に飲み物を零してもその飲み物が敷板の連結部の隙間から床面や地面に流れ落ちないようにすることにある。
【課題を解決するための手段】
【０００７】
上記課題を解決するために、本発明は、前後左右方向に連ねて敷設可能な方形のプラスチック盤で成る敷板において、前記プラスチック盤の二辺に沿ってトレイ形容器が形成され、該プラスチック盤の他の二辺に沿って前記トレイ形容器と嵌合可能な蓋形状に成形された突縁部が形成されていることを特徴とする。
【発明の効果】
【０００８】
本発明によれば、一方の敷板に形成されたトレイ形容器に他方の敷板に形成された突縁部で蓋をするようにして、そのトレイ形容器と突縁部を互いに嵌合させることにより、両敷板を簡単に連結することができると共に、そのトレイ形容器から蓋を外すように突縁部を取り外すことにより、両敷板を簡単に分離することができるので、敷板の敷設作業と撤去作業を迅速且つ容易に行なうことができる。
【０００９】
また、敷板の上に零した飲み物は、敷板に形成されたトレイ形容器とこれに嵌合する他の敷板の突縁部との間に生ずる隙間からトレイ形容器に流れ込んでその内部に貯留されるので、敷板の連結部の隙間から飲み物が流れ落ちて敷板を敷設した床面や地面が汚損されるおそれを解消することができる。
【発明を実施するための最良の形態】
【００１０】
本発明に係る敷板の最良の実施形態は、方形に成形されたプラスチック盤の隣接する二辺に沿ってトレイ形容器が形成され、該プラスチック盤の他の二辺に沿って前記トレイ形容器と嵌合可能な蓋形状に成形された突縁部が形成されると共に、前記トレイ形容器が形成された二辺が互いに交わるプラスチック盤の角部に門型のほぞ溝が形成され、その角部の対角となるプラスチック盤の角部が前記ほぞ溝と嵌合可能なほぞ形状に成形され、そのほぞ形状に成形されたプラスチック盤の角部が三角形の枡形容器に形成された構成とするものである。
【実施例１】
【００１１】
図１は本発明に係る敷板の一例を示す平面図、図２の（ａ）及び（ｂ）は夫々図１に示す敷板のトレイ形容器の部分を拡大して示す平面図と矢印Ｌ方向の断面図、図３の（ａ）及び（ｂ）は夫々図１に示す敷板の突縁部を拡大して示す平面図と矢印Ｒ方向の断面図、図４はトレイ形容器と突縁部の嵌合状態を示す断面図、図５は敷板の角部に形成された門型のほぞ溝とそのほぞ溝に嵌合するほぞ形状の角部を示す斜視図、図６は敷板の敷設状態を示す平面図である。
【００１２】
本例に示す敷板は、各辺の長さが略等しい方形のプラスチック盤１で成形されると共に、該プラスチック盤１の隣接する二辺２ａ及び２ｂに沿って各々トレイ形容器３、４が形成され、他の二辺２ｃ及び２ｄに沿って各々トレイ形容器３、４と嵌合可能な蓋形状に成形された突縁部５、６が形成されている。
【００１３】
突縁部５、６は、プラスチック盤１の表面を形成する面板部７と一体を成す水平板部８の下面に沿って所定のピッチでその水平板部８の強度を補強する複数の垂直リブ９が形成されている。なお、水平板部８は、トレイ形容器３、４の上面を塞ぐことができる程度の幅と長さを有し、また、垂直リブ９は、トレイ形容器３、４の底部に達する程度の高さを有している。
【００１４】
プラスチック盤１の表面とトレイ形容器３、４の上面との間には、突縁部５、６の水平板部８の板厚分に相当する段差が形成されている。また、トレイ形容器３、４の内部には、その上面から底部に達する高さを有した複数の垂直リブ１０が所定のピッチで交互に齟齬する位置に形成されている。なお、プラスチック盤１の面板部７の裏面側には、ハニカム形状の補強用リブ１１が形成されている。
【００１５】
そして、トレイ形容器３、４が形成された二辺２ａ、２ｂが互いに交わるプラスチック盤１の角部１２に、門型のほぞ溝１３が形成され、その角部１２の対角となるプラスチック盤１の角部１４が、ほぞ溝１３と嵌合可能なほぞ形状に成形されると同時に、三角形の枡形容器１５に形成されている。
【００１６】
なお、ほぞ溝１３は、互いに対向するトレイ形容器３、４の側壁とその側壁間に跨る面板部７とによって門型に形成されている。また、そのほぞ溝１３と嵌合可能なほぞ形状を成す枡形容器１５は、トレイ形容器３、４と略同一の高さを有している。
【００１７】
しかして、図１に示す敷板を図６の如く前後左右方向に連ねて敷設するときは、前後方向に隣接する一方の敷板のプラスチック盤１に形成されたトレイ形容器３の上に、他方の敷板のプラスチック盤１に形成された突縁部５を重ね合わせるようにして、そのトレイ形容器３と突縁部５を互いに嵌合させると共に、左右方向に隣接する一方の敷板のプラスチック盤１に形成されたトレイ形容器４の上に、他方の敷板のプラスチック盤１に形成された突縁部６を重ね合わせるようにして、そのトレイ形容器４と突縁部６を互いに嵌合させ、且つ斜め方向に隣接する一方の敷板のプラスチック盤１の角部１２に形成された門型のほぞ溝１３に、他方の敷板のプラスチック盤１の角部１４に形成されたほぞ形状の枡形容器１５を差し込んで、そのほぞ溝１３とほぞ形状の枡形容器１５を互いに嵌合させる。
【００１８】
これにより、前後左右方向に連ねて敷設するプラスチック盤１は、各々をその前後左右方向及び斜め方向に隣接するプラスチック盤１、１…と簡単に連結させることができると同時に、例えは野球場の人工芝の上に敷設したプラスチック盤１に人などの荷重が加わって、そのプラスチック盤１が人工芝に沈み込んでも、斜め方向に隣接する一方のプラスチック盤１の角部１２と他方のプラスチック盤１の角部１４とが互いに嵌合されていることにより、前後方向に隣接する一方のプラスチック盤１のトレイ形容器３から該トレイ形容器３に嵌合させた他方のプラスチック盤１の突縁部５が外れて浮いた状態となったり、左右方向に隣接する一方のプラスチック盤１のトレイ形容器４から該トレイ形容器４に嵌合させた他方のプラスチック盤１の突縁部６が外れて浮いた状態となることが防止されるので、突縁部５、６に足を引掛けて転倒する事故を生ずるおそれもない。
【００１９】
すなわち、人工芝の野球場に敷設する敷板は、従来のようにアンカー用杭を地面に打ち込んで固定することはできず、弾縮性のある人工芝の上やアンツーカの上に載置するだけであるから、敷板となるプラスチック盤に荷重が加わると、そのプラスチック盤が人工芝に沈み込んで、荷重が加わらないプラスチック盤との連結部が外れるおそれがあるが、上記の如く斜め方向に隣接するプラスチック盤１、１の角部１２及び１４を互いに嵌合させれば、荷重が加わったプラスチック盤１が人工芝に沈み込んでも、プラスチック盤１、１…を前後左右方向に連結するために嵌合させたトレイ形容器３、４と突縁部５、６が互い外れることなく嵌合状態に保持されて、連結部が外れることが防止される。
【００２０】
また、プラスチック盤１の上に誤って飲み物を零しても、そのプラスチック盤１の面板部７から溢流する飲み物は、トレイ形容器３、４に流れ込んでその内部に貯留されるため、プラスチック盤１、１…の連結部の隙間から流れ落ちて人工芝や地面を汚損するおそれがない。また、本例の敷板は、プラスチック盤１を斜め方向に連結するほぞ形状の角部１４もその角部１４から溢流する飲み物を貯留することができる枡形容器１５に形成されているので、飲み物を零して人工芝を汚損することを確実に防止することができる。
【００２１】
また、図６の如く敷設した敷板は、プラスチック盤１の突縁部５、６を持ち上げて、その突縁部５、６と嵌合したプラスチック盤１のトレイ形容器３、４から外すと同時に、プラスチック盤１を角部１２、１４の対角線方向に引っ張って、斜めに隣接するプラスチック盤１の角部１２に形成されたほぞ溝１３からこれと嵌合したほぞ形状の角部１４を引き抜くだけで、プラスチック盤１の連結状態を簡単に解除することができるので、撤去作業も迅速且つ容易に行なうことができる。
【図面の簡単な説明】
【００２２】
【図１】本発明に係る敷板の一例を示す平面図
【図２】トレイ形容器が形成された部分を拡大して示す平面図及び断面図
【図３】突縁部が形成された部分を拡大して示す平面図及び断面図
【図４】トレイ形容器と突縁部の嵌合状態を示す断面図
【図５】ほぞ溝の角部とそのほぞ溝に嵌合するほぞ形状の角部を示す斜視図
【図６】本発明に係る敷板の敷設状態を示す平面図
【符号の説明】
【００２３】
１          プラスチック盤
２ａ〜２ｄ  プラスチック盤の各辺
３          トレイ形容器
４          トレイ形容器
５          突縁部
６          突縁部
７          面板部
８          突縁部の水平板部
９          突縁部の垂直リブ
１０          トレイ形容器の垂直リブ
１１          ハニカム形状の補強用リブ
１２          角部
１３          門型のほぞ溝
１４          角部
１５          三角形の枡形容器
【図１】
2005139794.tif 000003
【図２】
2005139794.tif 000004
【図３】
2005139794.tif 000005
【図４】
2005139794.tif 000006
【図５】
2005139794.tif 000007
【図６】
2005139794.tif 000008